(57)【要約】【課題】通信の確実性を向上させることができる画像処理装置を提供する。【解決手段】画像処理装置１００は、複数の周面１５０Ｆ，１５０Ｌ，１５０Ｂ，１５０Ｒ、および、互いに隣り合う周面を接続する複数のコーナー部ＣＮ１，ＣＮ２，ＣＮ３，ＣＮ４を含む筐体１５０と、筐体１５０に取り付けられた第１アンテナ１７１および第２アンテナ１７２と、を備え、第１アンテナ１７１および第２アンテナ１７２は、第１アンテナ１７１までの距離が最短となる第１のコーナー部ＣＮ１と第２アンテナ１７２までの距離が最短となる第２のコーナー部ＣＮ３に配置され、第１のコーナー部ＣＮ１を形成する互いに隣り合う周面１５０Ｆ，１５０Ｌと第２のコーナー部ＣＮ３を形成する互いに隣り合う周面１５０Ｂ，１５０Ｒは、互いに異なる。【選択図】図５
2018140593.tif 000002
【特許請求の範囲】
【請求項１】
画像処理装置であって、
複数の周面、および、互いに隣り合う周面を接続する複数のコーナー部を含む筐体と、
前記筐体に取り付けられた第１アンテナおよび第２アンテナと、を備え、
前記第１アンテナおよび前記第２アンテナは、前記第１アンテナまでの距離が最短となる第１のコーナー部と前記第２アンテナまでの距離が最短となる第２のコーナー部に配置され、
前記第１のコーナー部を形成する前記互いに隣り合う周面と前記第２のコーナー部を形成する前記互いに隣り合う周面は、互いに異なる、画像処理装置。
【請求項２】
前記筐体は、４つの周面、および、互いに隣り合う周面を接続する４つのコーナー部を含み、
前記筐体は、上下方向に沿って見た場合に、矩形形状を有し、
前記第１アンテナおよび前記第２アンテナは、互いに対角に位置する前記コーナー部に配置されている、請求項１に記載の画像処理装置。
【請求項３】
電磁波を遮蔽し、上下方向に沿って見た場合に、前記筐体内の空間を第１領域と当該第１領域を取り囲む第２領域とに区画するシールド部材をさらに備え、
前記第１アンテナおよび前記第２アンテナは、前記第２領域に配置され、かつ、前記シールド部材によって遮られるように配置されている、請求項１または２に記載の画像処理装置。
【請求項４】
前記第１アンテナおよび前記第２アンテナは、前記筐体の外部の通信装置と無線通信可能である、請求項１から３のいずれか１項に記載の画像処理装置。
【請求項５】
前記筐体は、画像が形成される記録媒体を収容するカセットを含み、
前記第１アンテナおよび前記第２アンテナは、前記カセットよりも上方の位置に配置されている、請求項１から４のいずれか１項に記載の画像処理装置。
【請求項６】
前記筐体に設けられた操作パネルをさらに備え、
前記第１アンテナおよび前記第２アンテナの少なくとも一方は、前記操作パネルよりも上方の位置に配置されている、請求項１から５のいずれか１項に記載の画像処理装置。
【請求項７】
前記筐体は、画像形成部を収容する第１筐体部と、前記画像形成部の上方に配置された画像読取部を収容する第２筐体部とを含み、
前記第１アンテナおよび前記第２アンテナの少なくとも一方は、前記第２筐体部側に設けられている、請求項１から６のいずれか１項に記載の画像処理装置。
【請求項８】
ネットワークに接続され所定の処理を実行するサーバー装置と一体となるように連結され、
前記第１アンテナおよび前記第２アンテナの各々は、配線によって前記サーバー装置に接続されている、請求項１から７のいずれか１項に記載の画像処理装置。
【請求項９】
前記サーバー装置は、前記筐体の下方に配置され、
前記第１アンテナおよび前記第２アンテナは、前記サーバー装置よりも上方の位置に配置されている、請求項８に記載の画像処理装置。
【請求項１０】
前記筐体は、４つの周面、および、互いに隣り合う周面を接続する４つのコーナー部を含み、
前記筐体は、上下方向に沿って見た場合に、矩形形状を有し、
前記第１アンテナおよび前記第２アンテナは、互いに対角に位置する前記コーナー部に配置されており、
前記筐体内には、複数の搬送ローラーと前記複数の搬送ローラーを駆動させる駆動部とが設置される設置領域が設けられ、
前記設置領域は、上下方向に沿って見た場合に、前記矩形形状を形成する４辺部のうち１つの辺部に沿って延在し、
前記設置領域は、前記設置領域の延在方向における一端側に前記駆動部が配置され、
前記設置領域の前記一端側は、４つの前記コーナー部のいずれかの前記コーナー部に配置され、
前記第１アンテナおよび前記第２アンテナの一方が、前記設置領域の前記一端側とは反対側の前記設置領域の他端側に位置する前記コーナー部に配置されている、請求項１に記載の画像処理装置。
【請求項１１】
前記筐体に設けられた操作パネルをさらに備え、
前記筐体は、４つの周面、および、互いに隣り合う周面を接続する４つのコーナー部を含み、
前記筐体は、上下方向に沿って見た場合に、矩形形状を有し、
前記第１アンテナおよび前記第２アンテナは、互いに対角に位置する前記コーナー部に配置されており、
前記操作パネルは、４つの前記コーナー部のうちのいずれかの前記コーナー部に最も近くなるように配置され、
前記第１アンテナおよび前記第２アンテナは、前記操作パネルが最も近い前記コーナー部と異なる前記コーナー部であって、互いに対角に位置する前記コーナー部にそれぞれ配置されている、請求項１に記載の画像処理装置。
【請求項１２】
電磁波を遮蔽し、上下方向に沿って見た場合に、前記筐体内の空間を第１領域と当該第１領域を取り囲む第２領域とに区画するシールド部材と、
前記第１領域に配置され、電磁波を発生する電子部品と、を備え、
前記筐体は、４つの周面、および、互いに隣り合う周面を接続する４つのコーナー部を含み、
前記筐体は、上下方向に沿って見た場合に、矩形形状を有し、
前記第１アンテナおよび前記第２アンテナは、互いに対角に位置する前記コーナー部に配置されており、
前記電子部品は、４つの前記コーナー部のうちのいずれかの前記コーナー部に最も近くなるように配置され、
前記第１アンテナおよび前記第２アンテナは、前記電子部品が最も近い前記コーナー部と異なる前記コーナー部であって、互いに対角に位置する前記コーナー部にそれぞれ配置されている、請求項１に記載の画像処理装置。
【請求項１３】
電磁波を遮蔽し、上下方向に沿って見た場合に、前記筐体内の空間を第１領域と当該第１領域を取り囲む第２領域とに区画するシールド部材と、
前記筐体は、４つの周面、および、互いに隣り合う周面を接続する４つのコーナー部を含み、
前記筐体は、上下方向に沿って見た場合に、矩形形状を有し、
前記第１アンテナおよび前記第２アンテナは、互いに対角に位置する前記コーナー部に配置されており、
前記第１領域に配置され、電磁波を発生する電子部品と、を備え、
前記電子部品は、４つの前記コーナー部のうちのいずれかの前記コーナー部に最も近くなるように配置され、
前記第１アンテナおよび前記第２アンテナのうちの一方は、前記電子部品が最も近い前記コーナー部に配置され、
前記第１アンテナおよび前記第２アンテナのうちの前記一方と前記シールド部材との間には、前記シールド部材側から前記第１アンテナおよび前記第２アンテナのうちの前記一方を覆うカバー体が配置され、
前記カバー体は、電磁波を遮蔽する、請求項１に記載の画像処理装置。
【請求項１４】
前記電子部品は、回路基板である、請求項１２または１３に記載の画像処理装置。
【発明の詳細な説明】
【技術分野】
【０００１】
本発明は、画像処理装置に関する。
【背景技術】
【０００２】
従来の画像処理装置を備えた画像形成装置が開示された文献として、たとえば、特開２０１３−１４７０１５号公報（特許文献１）および特開２００５−２７８１７２号公報（特許文献２）が挙げられる。
【０００３】
特許文献１に開示の画像形成装置にあっては、複数のアンテナの配置面の法線方向が互いに異なるように、複数のアンテナが筐体に設けられている。これにより、ユーザーが通信端末を筐体に近づけたときに、その通信端末の姿勢によって、近距離無線通信によって送信されるデータを１つのアンテナによって受信がすることが不能である場合であっても、他のアンテナによって受信できる可能性が高くなる。
【０００４】
特許文献２に開示の画像形成装置にあっては、メインアンテナおよびサブアンテナが筐体の後面側に設置され、無線ランモジュールが筐体の後面内側に内蔵されている。これらメインアンテナおよびサブアンテナの各々は、ケーブルによって無線ランモジュールと最短で接続されている。
【先行技術文献】
【特許文献】
【０００５】
【特許文献１】特開２０１３−１４７０１５号公報
【特許文献２】特開２００５−２７８１７２号公報
【発明の概要】
【発明が解決しようとする課題】
【０００６】
しかしながら、特許文献１に開示の画像形成装置にあっては、通信端末の姿勢によって１つのアンテナによる受信が不能であっても、他のアンテナよって受信可能とするものであり、通信端末が筐体に近接される位置がある程度の範囲に特定される。このため、意図しない位置に通信端末が近接された場合には、通信端末との通信が不能となることが懸念される。
【０００７】
また、特許文献２に開示の画像形成装置にあっても、メインアンテナおよびサブアンテナが設置される箇所が筐体の後面側に限定される。このため、筐体の後面側からの通信は、比較的安定させることができるが、筐体の前方側に位置する通信装置との通信を安定させることが困難となる。
【０００８】
本発明は、上記のような問題に鑑みてなされたものであり、本発明の目的は、通信の確実性を向上させることができる画像処理装置を提供することにある。
【課題を解決するための手段】
【０００９】
本発明に基づく画像処理装置は、複数の周面、および、互いに隣り合う周面を接続する複数のコーナー部を含む筐体と、上記筐体に取り付けられた第１アンテナおよび第２アンテナと、を備え、上記第１アンテナおよび上記第２アンテナは、上記第１アンテナまでの距離が最短となる第１のコーナー部と上記第２アンテナまでの距離が最短となる第２のコーナー部に配置され、上記第１のコーナー部を形成する上記互いに隣り合う周面と上記第２のコーナー部を形成する上記互いに隣り合う周面は、互いに異なる。
【００１０】
上記本発明に基づく画像処理装置にあっては、上記筐体は、４つの周面、および、互いに隣り合う周面を接続する４つのコーナー部を含むことが好ましい。この場合には、上記筐体は、上下方向に沿って見た場合に、矩形形状を有することが好ましい。さらに、上記第１アンテナおよび上記第２アンテナは、互いに対角に位置する上記コーナー部に配置されていることが好ましい。
【００１１】
上記本発明に基づく画像処理装置は、電磁波を遮蔽し、上下方向に沿って見た場合に、上記筐体内の空間を第１領域と当該第１領域を取り囲む第２領域とに区画するシールド部材をさらに備えることが好ましい。この場合には、上記第１アンテナおよび上記第２アンテナは、上記第２領域に配置され、かつ、上記シールド部材によって遮られるように配置されていることが好ましい。
【００１２】
上記本発明に基づく画像処理装置にあっては、上記第１アンテナおよび上記第２アンテナは、上記筐体の外部の通信装置と無線通信可能であることが好ましい。
【００１３】
上記本発明に基づく画像処理装置にあっては、上記筐体は、画像が形成される記録媒体を収容するカセットを含むことが好ましく、上記第１アンテナおよび上記第２アンテナは、上記カセットよりも上方の位置に配置されていることが好ましい。
【００１４】
上記本発明に基づく画像処理装置は、上記筐体に設けられた操作パネルをさらに備えることが好ましい。この場合には、上記第１アンテナおよび上記第２アンテナの少なくとも一方は、上記操作パネルよりも上方の位置に配置されていることが好ましい。
【００１５】
上記本発明に基づく画像処理装置にあっては、上記筐体は、画像形成部を収容する第１筐体部と、上記画像形成部の上方に配置された画像読取部を収容する第２筐体部とを含むことが好ましい。この場合には、上記第１アンテナおよび上記第２アンテナの少なくとも一方は、上記第２筐体部側に設けられていることが好ましい。
【００１６】
上記本発明に基づく画像処理装置は、ネットワークに接続され所定の処理を実行するサーバー装置と一体となるように連結されていてもよい。この場合には、上記第１アンテナおよび上記第２アンテナの各々は、配線によって上記サーバー装置に接続されていてもよい。
【００１７】
上記本発明に基づく画像処理装置にあっては、上記サーバー装置は、上記筐体の下方に配置されていることが好ましい。この場合には、上記第１アンテナおよび上記第２アンテナは、上記サーバー装置よりも上方の位置に配置されていることが好ましい。
【００１８】
上記本発明に基づく画像処理装置にあっては、上記筐体は、４つの周面、および、互いに隣り合う周面を接続する４つのコーナー部を含むことが好ましく、上記筐体は、上下方向に沿って見た場合に、矩形形状を有することが好ましい。この場合には、上記第１アンテナおよび上記第２アンテナは、互いに対角に位置する上記コーナー部に配置されていることが好ましい。上記筐体内には、複数の搬送ローラーと上記複数の搬送ローラーを駆動させる駆動部とが設置される設置領域が設けられることが好ましい。また、上記設置領域は、上下方向に沿って見た場合に、上記矩形形状を形成する４辺部のうち１つの辺部に沿って延在することが好ましく、上記設置領域は、上記設置領域の延在方向における一端側に上記駆動部が配置されていることが好ましい。さらに、上記設置領域の上記一端側は、４つの上記コーナー部のいずれかの上記コーナー部に配置されていることが好ましい。この場合には、上記第１アンテナおよび上記第２アンテナの一方が、上記設置領域の上記一端側とは反対側の上記設置領域の他端側に位置する上記コーナー部に配置されていることが好ましい。
【００１９】
上記本発明に基づく画像処理装置は、上記筐体に設けられた操作パネルをさらに備えることが好ましい。上記本発明に基づく画像処理装置にあっては、上記筐体は、４つの周面、および、互いに隣り合う周面を接続する４つのコーナー部を含むことが好ましく、上記筐体は、上下方向に沿って見た場合に、矩形形状を有することが好ましい。この場合には、上記第１アンテナおよび上記第２アンテナは、互いに対角に位置する上記コーナー部に配置されていることが好ましい。上記操作パネルは、４つの上記コーナー部のうちのいずれかの上記コーナー部に最も近くなるように配置されてもよい。この場合には、上記第１アンテナおよび上記第２アンテナは、上記操作パネルが最も近い上記コーナー部と異なる上記コーナー部であって、互いに対角に位置する上記コーナー部にそれぞれ配置されていることが好ましい。
【００２０】
上記本発明に基づく画像処理装置は、電磁波を遮蔽し、上下方向に沿って見た場合に、上記筐体内の空間を第１領域と当該第１領域を取り囲む第２領域とに区画するシールド部材と、上記第１領域に配置され、電磁波を発生する電子部品と、を備えていてもよい。この場合には、上記筐体は、４つの周面、および、互いに隣り合う周面を接続する４つのコーナー部を含むことが好ましく、上記筐体は、上下方向に沿って見た場合に、矩形形状を有することが好ましい。さらに、上記第１アンテナおよび上記第２アンテナは、互いに対角に位置する上記コーナー部に配置されていることが好ましい。また、上記電子部品は、４つの上記コーナー部のうちのいずれかの上記コーナー部に最も近くなるように配置されていることが好ましく、上記第１アンテナおよび上記第２アンテナは、上記電子部品が最も近い上記コーナー部と異なる上記コーナー部であって、互いに対角に位置する上記コーナー部にそれぞれ配置されていることが好ましい。
【００２１】
上記本発明に基づく画像処理装置は、電磁波を遮蔽し、上下方向に沿って見た場合に、上記筐体内の空間を第１領域と当該第１領域を取り囲む第２領域とに区画するシールド部材と、上記第１領域に配置され、電磁波を発生する電子部品と、を備えていてもよい。この場合には、上記筐体は、４つの周面、および、互いに隣り合う周面を接続する４つのコーナー部を含むことが好ましく、上記筐体は、上下方向に沿って見た場合に、矩形形状を有することが好ましい。さらに、上記第１アンテナおよび上記第２アンテナは、互いに対角に位置する上記コーナー部に配置されていることが好ましい。また、上記電子部品は、４つの上記コーナー部のうちのいずれかの上記コーナー部に最も近くなるように配置されていることが好ましい。さらに、上記第１アンテナおよび上記第２アンテナの一方は、上記電子部品が最も近い上記コーナー部に配置されていることが好ましく、上記第１アンテナおよび上記第２アンテナの上記一方と上記シールド部材との間には、上記シールド部材側から上記第１アンテナおよび上記第２アンテナの上記一方を覆うカバー部材が配置されていることが好ましい。上記カバー部材は、電磁波を遮蔽することが好ましい。
【００２２】
上記本発明に基づく画像処理装置にあっては、上記電子部品は、回路基板であってもよい。
【発明の効果】
【００２３】
本発明によれば、通信の確実性を向上させることができる画像処理装置を提供することができる。
【図面の簡単な説明】
【００２４】
【図１】実施の形態１に係る画像処理装置の斜視図である。
【図２】実施の形態１に係る画像処理装置の概略図である。
【図３】実施の形態１に係る画像処理装置の概略斜視図である。
【図４】実施の形態１に係る画像処理装置における第１アンテナおよび第２アンテナの配置を示す概略断面図である。
【図５】実施の形態１に係る画像処理装置において、第１アンテナまたは第２アンテナと筐体外部の通信装置との通信を説明するための図である。
【図６】比較例に係る画像処理装置の概略斜視図である。
【図７】比較例に係る画像処理装置における第１アンテナの配置を示す概略断面図である。
【図８】比較例に係る画像処理装置において、第１アンテナと筐体外部の通信装置との通信を説明するための図である。
【図９】実施の形態２に係る画像処理装置の概略斜視図である。
【図１０】実施の形態３に係る画像処理装置の概略斜視図である。
【図１１】実施の形態４に係る画像処理装置の概略斜視図である。
【図１２】実施の形態５に係る画像処理装置における第１アンテナおよび第２アンテナの配置を示す概略断面図である。
【図１３】実施の形態６に係る画像処理装置における第１アンテナおよび第２アンテナの配置を示す概略断面図である。
【図１４】実施の形態７に係る画像処理装置における第１アンテナおよび第２アンテナの配置を示す概略断面図である。
【図１５】実施の形態８に係る画像処理装置における第１アンテナおよび第２アンテナの配置を示す概略断面図である。
【図１６】実施の形態９に係る画像処理装置における第１アンテナおよび第２アンテナの配置を示す概略断面図である。
【発明を実施するための形態】
【００２５】
以下、本発明の実施の形態について、図を参照して詳細に説明する。なお、以下に示す実施の形態においては、同一のまたは共通する部分について図中同一の符号を付し、その説明は繰り返さない。
【００２６】
図中において、矢印Ｕ，Ｄは、上下方向を示し、矢印Ｌ，Ｒは画像処理装置の左右方向を示し、矢印Ｆｒ，Ｒｅは画像処理装置の前後方向を示す。
【００２７】
（実施の形態１）
図１は、実施の形態１に係る画像処理装置の斜視図である。図２は、実施の形態１に係る画像処理装置の概略図である。図１および図２を参照して、実施の形態１に係る画像処理装置１００について説明する。
【００２８】
図１および図２に示すように、画像処理装置１００は、筐体１５０、第１アンテナ１７１（図２参照）、第２アンテナ１７２（図２参照）、シールド部材１８０およびサーバー装置２００を備える。画像処理装置１００は、画像形成部１１０、画像読取部１２０、原稿搬送部１３０、カバー部材１４０、および操作パネル１６０をさらに備える。
【００２９】
筐体１５０の外形形状は、全体として略直方体形状である。筐体１５０は、複数の周面、および、互いに隣り合う周面を接続する複数のコーナー部を含む。具体的には、筐体１５０は、４つの周面および４つのコーナー部を含む。
【００３０】
筐体１５０は、前面１５０Ｆ、後面１５０Ｂ、右側面１５０Ｒ、左側面１５０Ｌ、上面１５０Ｕ、および下面１５０Ｄ（図２参照）、ならびに、コーナー部ＣＮ１、コーナー部ＣＮ２、コーナー部ＣＮ３（図３参照）およびコーナー部ＣＮ４を有している。
【００３１】
前面１５０Ｆ、後面１５０Ｂ、右側面１５０Ｒ、および左側面１５０Ｌは、上記の４つの周面に相当し、コーナー部ＣＮ１，ＣＮ２，ＣＮ３，ＣＮ４は、上記４つのコーナー部に相当する。
【００３２】
互いに隣り合う前面１５０Ｆおよび左側面１５０Ｌは、コーナー部ＣＮ１によって接続されている。互いに隣り合う左側面１５０Ｌおよび後面１５０Ｂは、コーナー部ＣＮ２によって接続されている。互いに隣り合う後面１５０Ｂおよび右側面１５０Ｒは、コーナー部ＣＮ３によって接続されている。互いに隣り合う右側面１５０Ｒおよび前面１５０Ｆは、コーナー部ＣＮ４によって接続されている。
【００３３】
筐体１５０は、画像形成部１１０、画像読取部１２０、および原稿搬送部１３０を内部に収容する。筐体１５０は、第１筐体部１５１、第２筐体部１５２、および第３筐体部１５３、カセット１１１、およびカセット１１２を含む。
【００３４】
第１筐体部１５１は、画像形成部１１０を内部に収容する。第２筐体部１５２は、画像読取部１２０を内部に収容する。上下方向に沿って見た場合に、第１筐体部１５１の外形と、第２筐体部１５２の外形とはほぼ一致する。上下方向に沿って見た場合に、第１筐体部１５１の中心と第２筐体部１５２の中心とはほぼ一致する。
【００３５】
第３筐体部１５３は、原稿搬送部１３０を内部に収容する。カセット１１１およびカセット１１２は、画像が形成される記録媒体Ｓを収容する。カセット１１１およびカセット１１２は、筐体１５０の下部を構成する。
【００３６】
筐体１５０は、上下方向における途中部に、その周面の一部が水平方向に窪むことにより構成される窪み部４４を有する。具体的には、窪み部４４は、筐体１５０の前側かつ右側の角部から右側面部の一部および筐体１５０の前面の一部が窪むことにより形成されている。当該窪み部４４には、画像形成部１１０によって形成された画像が印刷された記録媒体が排出される。窪み部４４は、排紙部として機能する。
【００３７】
操作パネル１６０は、筐体１５０に設けられている。操作パネル１６０は、筐体１５０の前面１５０Ｆに設けられている。操作パネル１６０は、第１筐体部１５１の上部側に設けられている。操作パネル１６０は、左右方向を回転軸とする回転軸回りに回動可能に設けられている。
【００３８】
操作パネル１６０は、タッチセンサを一体化した表示部を含む。操作パネル１６０の操作面側の表面は、筐体１５０の前面１５０Ｆの一部を構成する。
【００３９】
原稿搬送部１３０は、画像読取部１２０の上方に配置されている。原稿搬送部１３０は、画像処理装置１００の上部の右側部分に配置されている。原稿搬送部１３０は、供給トレイ１３１に供給された原稿を画像読取部１２０の原稿読取位置を経由して排出トレイ１３２に搬送する。
【００４０】
供給トレイ１３１および排出トレイ１３２は、第３筐体部１５３から画像処理装置１００の左側に向けて突出する。供給トレイ１３１および排出トレイ１３２は、上下方向に重なるように設けられている。
【００４１】
カバー部材１４０は、供給トレイ１３１および排出トレイ１３２を覆った被覆状態と、供給トレイ１３１および排出トレイ１３２を覆わない非被覆状態とに切替可能に供給トレイ１３１および排出トレイ１３２を覆う。カバー部材１４０は、左右方向に平行な方向を軸方向とする軸回りに回動可能に構成されている。
【００４２】
画像読取部１２０は、画像形成部１１０の上方に配置されている。画像読取部１２０は、原稿台に載置された原稿の画像情報を読み取る。
【００４３】
画像形成部１１０は、後述の制御部６０からの制御信号に基づいて画像を形成する。また、画像形成部１１０は、画像読取部１２０により読み取られた原稿の画像を形成する。
【００４４】
画像形成部１１０は、画像形成ユニット１Ｙ，１Ｍ，１Ｃ，１Ｋと、中間転写ベルト３０と、一次転写ローラー３１と、二次転写ローラー３３と、従動ローラー３８と、駆動ローラー３９と、タイミングローラー４０と、定着装置５０と、制御部６０と、を含む。
【００４５】
画像形成ユニット１Ｙ，１Ｍ，１Ｃ，１Ｋは、中間転写ベルト３０に沿って順に並べられている。画像形成ユニット１Ｙは、トナーボトル１５Ｙからトナーの供給を受けてイエロー（Ｙ）のトナー像を形成する。画像形成ユニット１Ｍは、トナーボトル１５Ｍからトナーの供給を受けてマゼンタ（Ｍ）のトナー像を形成する。画像形成ユニット１Ｃは、トナーボトル１５Ｃからトナーの供給を受けてシアン（Ｃ）のトナー像を形成する。画像形成ユニット１Ｋは、トナーボトル１５Ｋからトナーの供給を受けてブラック（Ｋ）のトナー像を形成する。
【００４６】
画像形成ユニット１Ｙ，１Ｍ，１Ｃ，１Ｋは、それぞれ、感光体１０と、帯電装置１１と、露光装置１２と、現像装置１３と、クリーニング装置１７とを備える。
【００４７】
帯電装置１１は、感光体１０の表面を一様に帯電する。露光装置１２は、制御部６０からの制御信号に応じて感光体１０にレーザー光を照射し、入力された画像パターンに従って感光体１０の表面を露光する。これにより、入力画像に応じた静電潜像が感光体１０上に形成される。
【００４８】
現像装置１３は、現像ローラー１４を回転させながら、現像ローラー１４に現像バイアスを印加し、現像ローラー１４の表面にトナーを付着させる。これにより、トナーが現像ローラー１４から感光体１０に転写され、静電潜像に応じたトナー像が感光体１０の表面に現像される。
【００４９】
感光体１０と中間転写ベルト３０とは、一次転写ローラー３１を設けている部分で互いに接触している。一次転写ローラー３１は、ローラー形状を有し、回転可能に構成される。トナー像と反対極性の転写電圧が一次転写ローラー３１に印加されることによって、トナー像が感光体１０から中間転写ベルト３０に転写される。
【００５０】
イエロー（Ｙ）のトナー像、マゼンタ（Ｍ）のトナー像、シアン（Ｃ）のトナー像、およびブラック（Ｋ）のトナー像が順に重ねられて感光体１０から中間転写ベルト３０に転写される。これにより、カラーのトナー像が中間転写ベルト３０上に形成される。
【００５１】
中間転写ベルト３０は、従動ローラー３８および駆動ローラー３９に張架されている。駆動ローラー３９は、たとえばモーター（図示しない）によって回転駆動される。中間転写ベルト３０および従動ローラー３８は、駆動ローラー３９に連動して回転する。これにより、中間転写ベルト３０上のトナー像が二次転写ローラー３３に搬送される。
【００５２】
クリーニング装置１７は、感光体１０に圧接されている。クリーニング装置１７は、トナー像の転写後に感光体１０の表面に残留するトナーを回収する。
【００５３】
カセット１１１，１１２には、用紙等の記録媒体が収容される。記録媒体Ｓは、カセット１１１またはカセット１１２から１枚ずつタイミングローラーによって搬送経路４１に沿って二次転写ローラー３３に送られる。
【００５４】
二次転写ローラー３３は、ローラー形状を有し、回転可能に構成される。二次転写ローラー３３は、トナー像と反対極性の転写電圧を搬送中の記録媒体に印加する。これにより、トナー像は、中間転写ベルト３０から二次転写ローラー３３に引き付けられ、中間転写ベルト３０上のトナー像が転写される。
【００５５】
二次転写ローラー３３への記録媒体Ｓの搬送タイミングは、中間転写ベルト３０上のトナー像の位置に合わせてタイミングローラーによって調整される。タイミングローラーにより、中間転写ベルト３０上のトナー像は、記録媒体Ｓの適切な位置に転写される。
【００５６】
定着装置５０は、自身を通過する記録媒体Ｓを加圧および加熱する。これにより、トナー像は記録媒体Ｓに定着する。その後、記録媒体Ｓは、排紙部としての窪み部４４に排出される。
【００５７】
シールド部材１８０は、電磁波を遮蔽する。具体的には、シールド部材１８０は、画像形成部１１０および画像読取部１２０によって発生される電磁波が筐体１５０の外部に漏出することを抑制する。また、シールド部材１８０は、筐体１５０の外部から障害電波が進入することを抑制する。
【００５８】
シールド部材１８０は、第１シールド部材１８１および第２シールド部材１８２を有する。第１シールド部材１８１は、内部に画像形成部１１０を収容する。第１シールド部材１８１は、第１筐体部１５１内に収容されている。第１シールド部材１８１は、電磁波遮蔽部材として薄い鋼板を第１筐体部１５１の内表面に沿って配置することにより構成される。
【００５９】
第２シールド部材１８２は、内部に画像読取部１２０を収容する。第２シールド部材１８２は、第２筐体部１５２内に収容されている。第２シールド部材１８２は、電磁波遮蔽部材として薄い鋼板を第２筐体部１５２の内表面に沿って配置することにより構成される。
【００６０】
第１アンテナ１７１および第２アンテナ１７２は、たとえば棒状形状を有する。第１アンテナ１７１および第２アンテナ１７２は、上下方向に沿って延在する。第１アンテナ１７１および第２アンテナ１７２は、たとえば第１筐体部１５１の内部に設置される。第１アンテナ１７１および第２アンテナ１７２は、たとえば、カセット１１１，１１２よりも上方の位置に配置されている。
【００６１】
第１アンテナ１７１および第２アンテナ１７２は、たとえば、筐体１５０の外部の通信装置と無線通信可能に構成されている。第１アンテナ１７１および第２アンテナ１７２は、たとえば、Ｗｉ−Ｆｉ通信、または無線ＬＡＮ通信等を用いて筐体１５０の外部に位置する通信装置と通信可能である。当該通信装置には、サーバー装置２００も含まれる。
【００６２】
筐体１５０の外部の通信装置から受信した画像データは、制御部６０に入力される。制御部６０は、受信した画像データに基づいて、印刷すべき画像データを画像形成部１１０に出力する。画像形成部１１０は、出力された画像データに基づいて画像を形成する。
【００６３】
サーバー装置２００は、画像処理装置１００と図示しない信号線等を介して接続され、それぞれの装置のもつセンサー値や装置の作動に利用されるデータ等を必要に応じてやり取りしている。画像処理装置１００とサーバー装置２００とは別々の電源を有しており、それぞれ独立した動作が可能である。サーバー装置２００はネットワークを介してクライアント装置からアクセスを受け付けるため常時稼働しているといった基本的特徴を有している。
【００６４】
サーバー装置２００は、ネットワークに接続され所定の処理を実行する。具体的には、サーバー装置２００は、それ単独で、メールサーバー、Ｗｅｂサーバー、アプリケーションサーバー、ファイルサーバー、プリントサーバーなどとして機能し、クライアント装置等からの要求に応じて、予め定められたコンピュータプログラムに基づいた処理（たとえばデータの保管、データの整理、各種の動的処理、各種の応答処理）を実行することができる。
【００６５】
サーバー装置２００の外形形状も、全体として略直方体状である。サーバー装置２００は、前面２００Ｆ、後面２００Ｂ、右側面２００Ｒ、左側面２００Ｌ、上面２００Ｕ（図２参照）、および下面２００Ｄを有している。
【００６６】
サーバー装置２００は、その構成要素として、筐体２００Ｃ、サーバー本体部２３０、ファン２４０を備えている。サーバー本体部２３０は、マザーボード、ＣＰＵ、記録装置（ＨＤＤやＳＳＤ）、ネットワークＩＦ（ＩＦ：Interface）、ヒートシンク、および電源などから構成される。
【００６７】
連結部２５０は、画像処理装置１００の下面２００Ｄの一部およびサーバー装置２００の上面２００Ｕの一部を連結する。これにより、画像処理装置１００とサーバー装置２００とが一体化されている。
【００６８】
図３は、実施の形態１に係る画像処理装置の概略斜視図である。図４は、実施の形態１に係る画像処理装置における第１アンテナおよび第２アンテナの配置を示す概略断面図である。図３および図４を参照して、第１アンテナ１７１および第２アンテナ１７２の配置について説明する。
【００６９】
図３および図４に示すように、第１アンテナ１７１および第２アンテナ１７２は、第１アンテナ１７１までの距離が最短となる第１のコーナー部と第２アンテナ１７２までの距離が最短となる第２のコーナー部とに配置される。
【００７０】
具体的には、第１アンテナ１７１は、上下方向に沿って見た場合に、他のコーナー部ＣＮ２，ＣＮ３，ＣＮ４までの距離よりもコーナー部ＣＮ１（第１のコーナー部）までの距離が最短となるように配置されている。第２アンテナ１７２は、上下方向に沿って見た場合に、他のコーナー部ＣＮ１，ＣＮ２，ＣＮ４よりもコーナー部ＣＮ３（第２のコーナー部）までの距離が最短となるように配置されている。
【００７１】
コーナー部ＣＮ１を形成する互いに隣り合う筐体１５０の周面（前面１５０Ｆと左側面１５０Ｌ）と、コーナー部ＣＮ３を形成する互いに隣り合う筐体１５０の周面（後面１５０Ｂと右側面１５０Ｒ）とは、互いに異なっている。
【００７２】
図４に示すように、第１シールド部材１８１は、上下方向に沿って見た場合に、第１筐体部１５１内の空間を第１領域Ｒ１と、第１領域Ｒ１を取り囲む第２領域Ｒ２とに区画する。
【００７３】
第１アンテナ１７１および第２アンテナ１７２は、上下方向に沿って見た場合に、第１シールド部材１８１の外側に配置されている。具体的には、第１アンテナ１７１および第２アンテナ１７２は、第２領域Ｒ２に配置されている。
【００７４】
第１アンテナ１７１および第２アンテナ１７２は、第１シールド部材１８１によって遮られるように配置されている。上下方向に沿って見た場合に、第１アンテナ１７１の中心および第２アンテナ１７２の中心を結ぶ線が、第１アンテナ１７１と第２アンテナ１７２との間で第１シールド部材１８１を通過する。
【００７５】
上下方向に沿って見た場合に筐体１５０の中心を通過し上下方向に直交する第１仮想線ＶＬ１と当該筐体１５０の中心を通過し上下方向および第１仮想線ＶＬに直交する第２仮想線ＶＬ２とによって第２領域Ｒ２を４つの領域Ｒ２１，Ｒ２２，Ｒ２３，Ｒ２４に分割した場合に、第１アンテナ１７１および第２アンテナ１７２は、４分割された領域のうち互いに対角に位置する領域にそれぞれ配置されている。具体的には、第１アンテナ１７１は、領域Ｒ２１に配置され、第２アンテナ１７２は、領域Ｒ２３に配置されている。
【００７６】
より特定的には、第１アンテナ１７１および第２アンテナ１７２は、４つのコーナー部ＣＮ１，ＣＮ２，ＣＮ３，ＣＮ４のうち互いに対角に位置するコーナー部に配置されている。
【００７７】
図５は、実施の形態１に係る画像処理装置において、第１アンテナまたは第２アンテナと筐体外部の通信装置との通信を説明するための図である。図５を参照して、第１アンテナ１７１または第２アンテナ１７２と筐体１５０外部の通信装置３００との通信について説明する。
【００７８】
上述のように、第１アンテナ１７１および第２アンテナ１７２は、第１アンテナ１７１までの距離が最短となる第１のコーナー部（コーナー部ＣＮ１）と第２アンテナ１７２までの距離が最短となる第２のコーナー部（コーナー部ＣＮ３）とに配置される。
【００７９】
また、コーナー部ＣＮ１を形成する互いに隣り合う筐体１５０の周面（前面１５０Ｆと左側面１５０Ｌ）と、コーナー部ＣＮ３を形成する互いに隣り合う筐体１５０の周面（後面１５０Ｂと右側面１５０Ｒ）とは、互いに異なっている。
【００８０】
これにより、上下方向に沿って見た場合における当該第１アンテナ１７１および第２アンテナ１７２を結ぶ線の一方側および他方側のいずれに筐体１５０外部の通信装置３００が配置された場合であっても、通信装置３００側に位置するアンテナによって当該通信装置３００と通信することができる。これにより、通信の確実性を向上させることができる。
【００８１】
具体的には、コーナー部ＣＮ１側に通信装置３００が位置する場合には、通信装置３００と第１アンテナ１７１とが通信することができ、コーナー部ＣＮ３側に通信装置３００が位置する場合には、通信装置３００と第２アンテナ１７２とが通信することができる。
【００８２】
また、上述のように、第１アンテナ１７１および第２アンテナ１７２は、シールド部材１８０によって遮られるように配置されている。この場合においても、上下方向に沿って見た場合における当該第１アンテナ１７１および第２アンテナ１７２を結ぶ線の一方側および他方側のいずれに筐体１５０外部の通信装置３００が配置された場合であっても、通信装置３００側に位置するアンテナによって当該通信装置３００と通信することができる。これにより、通信の確実性を向上させることができる。
【００８３】
具体的には、コーナー部ＣＮ１側に通信装置３００が位置する場合には、通信装置３００と第１アンテナ１７１とが通信することができ、コーナー部ＣＮ３側に通信装置３００が位置する場合には、通信装置３００と第２アンテナ１７２とが通信することができる。
【００８４】
以上のように、実施の形態１に係る画像処理装置１００にあっては、通信の確実性を向上させることができる。
【００８５】
（比較例）
図６は、比較例に係る画像処理装置の概略斜視図である。図７は、比較例に係る画像処理装置における第１アンテナの配置を示す概略断面図である。図６および図７を参照して、比較例に係る画像処理装置１００Ｘについて説明する。
【００８６】
図６および図７に示すように、比較例に係る画像処理装置１００Ｘは、実施の形態１に係る画像処理装置１００と比較した場合に、アンテナとして第１アンテナ１７１のみを備える点において相違する。その他の構成については、ほぼ同様である。
【００８７】
第１アンテナ１７１は、第１筐体部１５１内部の第２領域Ｒ２に配置されている。第１アンテナ１７１は、上下方向に沿って見た場合に、他のコーナー部ＣＮ２，ＣＮ３，ＣＮ４までの距離よりもコーナー部ＣＮ１までの距離が最短となるように配置されている。第１アンテナ１７１は、筐体１５０の前部側のみに設けられている。
【００８８】
図８は、比較例に係る画像処理装置において、第１アンテナと筐体外部の通信装置との通信を説明するための図である。図８を参照して、第１アンテナ１７１と筐体１５０外部の通信装置３００との通信を説明する。
【００８９】
図８に示すように、画像処理装置１００Ｘの後方に通信装置３００が位置する場合には、通信装置３００から送信される信号は、第１シールド部材１８１によって遮蔽されてしまう。
【００９０】
このように、単数の第１アンテナ１７１が筐体１５０の一方向側にのみ設置される場合には、当該一方側とは反対側の筐体１５０の他方向側に位置する通信装置３００と通信が困難となる。
【００９１】
（実施の形態２）
図９は、実施の形態２に係る画像処理装置の概略斜視図である。図９を参照して、実施の形態２に係る画像処理装置１００Ａについて説明する。
【００９２】
図９に示すように、実施の形態９に係る画像処理装置１００Ａは、実施の形態１に係る画像処理装置１００と比較した場合に、第１アンテナ１７１と操作パネル１６０との位置関係が相違する。その他の構成については、ほぼ同様である。
【００９３】
第１アンテナ１７１は、操作パネル１６０よりも上方の位置に配置されている。操作パネル１６０は、たとえば、第１筐体部１５１の上下方向における略中央部に配置されている。操作パネル１６０は、使用者の操作性を考慮して、使用者が手を下げて起立した状態で操作面にタッチできる位置に配置されている。操作パネル１６０の上方は、使用者の手が届きやすい範囲となっている。これにより、筐体１５０外部の通信装置として、スマートフォン等の携帯通信端末を用いる場合には、通信装置を第１アンテナ１７１に容易に近接させることができる。
【００９４】
実施の形態２においても、上下方向に沿って見た場合に、第１アンテナ１７１および第２アンテナ１７２は、実施の形態１とほぼ同様に配置されている。これにより、実施の形態２においても、実施の形態１とほぼ同様の効果が得られる。
【００９５】
加えて、操作パネル１６０よりも上方の位置に第１アンテナ１７１が配置されていることにより、使用者が第１アンテナ１７１に携帯通信端末を近づけやすくなる。これにより、通信の確実性を向上させることができるとともに、利便性を向上させることができる。
【００９６】
なお、実施の形態２においては、第１アンテナ１７１が操作パネル１６０よりも上方の位置に配置され、第２アンテナ１７２が操作パネル１６０の上端よりも下方の位置に配置されている場合を例示して説明したが、これに限定されない。たとえば、第１アンテナ１７１および第２アンテナ１７２の双方が、操作パネル１６０よりも上方の位置に配置されてもよいし、第２アンテナ１７２が操作パネル１６０よりも上方の位置に配置され、第１アンテナ１７１が、操作パネル１６０の上端よりも下方の位置に配置されてもよい。
【００９７】
（実施の形態３）
図１０は、実施の形態３に係る画像処理装置の概略斜視図である。図１０を参照して、実施の形態３に係る画像処理装置１００Ｂについて説明する。
【００９８】
図１０に示すように、実施の形態３に係る画像処理装置１００Ｂは、実施の形態１に係る画像処理装置１００と比較して、第１アンテナ１７１の位置が相違する。その他の構成については、ほぼ同様である。
【００９９】
第１アンテナ１７１および第２アンテナ１７２は、第１アンテナ１７１までの距離が最短となる第１のコーナー部（コーナー部ＣＮ１）と第２アンテナ１７２までの距離が最短となる第２のコーナー部（コーナー部ＣＮ３）とに配置される。
【０１００】
また、コーナー部ＣＮ１を形成する互いに隣り合う筐体１５０の周面（前面１５０Ｆと左側面１５０Ｌ）と、コーナー部ＣＮ３を形成する互いに隣り合う筐体１５０の周面（後面１５０Ｂと右側面１５０Ｒ）とは、互いに異なっている。
【０１０１】
また、上述のように、第１アンテナ１７１および第２アンテナ１７２は、上下方向に沿って見た場合に、シールド部材１８０によって遮られるように配置されている。
【０１０２】
具体的には、第１アンテナ１７１は、第２筐体部１５２側に設けられている。第１アンテナ１７１は、第２筐体部１５２側において、上下方向に沿って見た場合に、他のコーナー部ＣＮ２，ＣＮ３，ＣＮ４までの距離よりもコーナー部ＣＮ１までの距離が最短となるように配置されている。
【０１０３】
第２筐体部１５２内においても、上下方向に沿って見た場合に、第２筐体部１５２内の空間は、第２シールド部材１８２によって、第１領域と当該第１領域を取り囲む第２領域とに区画される。
【０１０４】
第１アンテナ１７１は、第２筐体部１５２内における第２領域に配置されている。上述のように、上下方向に沿って見た場合に、第１筐体部１５１の外形と、第２筐体部１５２の外形とはほぼ一致する。これより、上下方向に沿って見た場合に、第１筐体部１５１の中心と、第２筐体部１５２の中心とがほぼ一致する。
【０１０５】
このため、実施の形態３においても、上下方向に沿って見た場合に筐体１５０の中心を通過し上下方向に直交する第１仮想線と当該筐体１５０の中心を通過し上下方向および第１仮想線に直交する第２仮想線とによって第２領域Ｒ２を４つの領域に分割した場合に、第１アンテナ１７１および第２アンテナ１７２は、４分割された領域のうち互いに対角に位置する領域にそれぞれ配置されている。
【０１０６】
操作パネル１６０は、使用者の操作性を考慮して、たとえば使用者が肘を曲げて起立した状態で操作面にタッチできる位置に配置されている。このため、操作パネル１６０の上端側に位置する第２筐体部１５２は、使用者の手が届きやすい範囲となっている。これにより、筐体１５０外部の通信装置として、スマートフォン等の携帯通信端末を用いる場合には、通信装置を第１アンテナ１７１に容易に近接させることができる。
【０１０７】
以上のように、実施の形態３においても、上下方向に沿って見た場合に、第１アンテナ１７１および第２アンテナ１７２は、実施の形態１とほぼ同様に配置されている。これにより、実施の形態３においても、実施の形態１とほぼ同様の効果が得られる。
【０１０８】
加えて、第１アンテナ１７１が第２筐体部１５２側に設けられることにより、使用者が第１アンテナ１７１に携帯通信端末を近づけやすくなる。これにより、通信の確実性を向上させることができるとともに、利便性を向上させることができる。
【０１０９】
なお、実施の形態３においては、第１アンテナ１７１が第２筐体部１５２側に配置され、第２アンテナ１７２が第１筐体部１５１側に配置されている場合を例示して説明したが、これに限定されない。第１アンテナ１７１および第２アンテナ１７２の双方が、第２筐体部１５２側に設けられていてもよい。また、第１アンテナ１７１が第１筐体部１５１側に設けられ、第２アンテナ１７２が第２筐体部１５２側に設けられていてもよい。
【０１１０】
（実施の形態４）
図１１は、実施の形態４に係る画像処理装置の概略斜視図である。図１１を参照して、実施の形態４に係る画像処理装置１００Ｃについて説明する。
【０１１１】
図１１に示すように、実施の形態４に係る画像処理装置１００Ｃは、実施の形態１に係る画像処理装置１００と比較した場合に、第１アンテナ１７１および第２アンテナ１７２の各々が、配線Ｌ１，Ｌ２によってサーバー装置２００のサーバー本体部２３０に接続されている点において相違する。その他の構成については、ほぼ同様である。
【０１１２】
サーバー装置２００は、筐体１５０の下方に配置されており、第１アンテナ１７１および第２アンテナ１７２は、サーバー装置２００よりも上方の位置に配置されている。
【０１１３】
サーバー装置２００と、第１アンテナ１７１および第２アンテナ１７２とが上記位置関係にあることにより、筐体１５０の高さ位置が、サーバー装置２００の高さ分だけ高くなる。これにより、使用者が、携帯通信端末等の通信装置を第１アンテナ１７１または第２アンテナ１７２に近づけやすくなる。
【０１１４】
実施の形態４においても、上下方向に沿って見た、第１アンテナ１７１および第２アンテナ１７２は、実施の形態１とほぼ同様に配置されている。これにより、実施の形態４においても、実施の形態１とほぼ同様の効果が得られる。
【０１１５】
加えて、第１アンテナ１７１および第２アンテナ１７２の各々が、配線Ｌ１，Ｌ２によってサーバー装置２００のサーバー本体部２３０に接続されることにより、第１アンテナ１７１および／または第２アンテナ１７２によって筐体１５０外部の通信装置から受信した通信データをサーバー本体部２３０に送ることができる。また、サーバー装置２００から第１アンテナ１７１および／または第２アンテナ１７２に入力された通信データを筐体１５０外部の通信装置に送信することができる。
【０１１６】
（実施の形態５）
図１２は、実施の形態５に係る画像処理装置における第１アンテナおよび第２アンテナの配置を示す概略断面図である。なお、図１２においては、便宜上のためシールド部材１８０を省略している。図１２を参照して、実施の形態５に係る画像処理装置１００Ｄについて説明する。
【０１１７】
図１２に示すように、実施の形態５に係る画像処理装置１００Ｄは、実施の形態１に係る画像処理装置１００と比較した場合に、複数の搬送ローラーと複数の搬送ローラーを駆動させる駆動部とが設置される設置領域Ｒ３と、第１アンテナ１７１および第２アンテナ１７２との位置関係が下記のように特定されている点において相違する。その他の構成については、ほぼ同様である。
【０１１８】
上下方向に沿って見た場合に、筐体１５０は、矩形形状を有する。筐体１５０の第１筐体部１５１の内部には、複数の搬送ローラー（不図示）および複数の搬送ローラーを駆動させる駆動部（不図示）が設置される設置領域Ｒ３が設けられている。
【０１１９】
設置領域Ｒ３は、上下方向に沿って見た場合に、上記矩形形状を形成する４辺部のうち１つの辺部に沿って延在する。具体的には、設置領域Ｒ３は、上下方向に沿って見た場合に、左側面１５０Ｌに沿って延在する。すなわち、設置領域Ｒ３は、前後方向に沿って延在する。
【０１２０】
設置領域Ｒ３は、主として複数の搬送ローラーが配置される第２設置領域Ｒ３２と、上記駆動部が配置される第１設置領域Ｒ３１を有する。上下方向に沿って見た場合に、第１設置領域Ｒ３１および第２設置領域Ｒ３２は、上記矩形形状を形成する４辺部のうちの１つの辺部に沿って並んでいる。設置領域Ｒ３においては、上記設置領域Ｒ３の延在方向における一端側に駆動部が配置される。
【０１２１】
設置領域Ｒ３の一端側は、４つのコーナー部ＣＮ１，ＣＮ２，ＣＮ３，ＣＮ４のうちコーナー部ＣＮ１に配置されている。
【０１２２】
第２アンテナ１７２は、設置領域Ｒ３の一端側とは反対側に位置するコーナー部ＣＮ２に配置されている。第１アンテナ１７１は、第２アンテナ１７２が配置されているコーナー部ＣＮ２の対角に位置するコーナー部ＣＮ４に配置されている。
【０１２３】
実施の形態５においても、上下方向に沿って見た、第１アンテナ１７１および第２アンテナ１７２は、実施の形態１とほぼ同様に配置される。これにより、実施の形態５においても、実施の形態１とほぼ同様の効果が得られる。
【０１２４】
また、上記駆動部は、電磁波を放出する場合がある。このため、上記のように第２アンテナ１７２を、上記駆動部が位置する側とは反対側に配置することにより、第２アンテナ１７２が駆動部からの電磁波の影響を受けることを抑制することができる。これにより、通信の確実性をさらに向上させることができる。
【０１２５】
（実施の形態６）
図１３は、実施の形態６に係る画像処理装置における第１アンテナおよび第２アンテナの配置を示す概略断面図である。図１３を参照して、実施の形態６に係る画像処理装置１００Ｅについて説明する。
【０１２６】
図１３に示すように、実施の形態６に係る画像処理装置１００Ｅは、実施の形態１に係る画像処理装置１００と比較した場合に、操作パネル１６０に対する第１アンテナ１７１および第２アンテナ１７２の位置関係が相違する。その他の構成については同様である。
【０１２７】
操作パネル１６０は、４つのコーナー部ＣＮ１，ＣＮ２，ＣＮ３，ＣＮ４のうちコーナー部ＣＮ１に最も近くなるように配置されている。
【０１２８】
第１アンテナ１７１および第２アンテナ１７２は、操作パネル１６０が最も近いコーナー部ＣＮ１と異なるコーナー部であって、互いに対角に位置するコーナー部ＣＮ２，ＣＮ４にそれぞれ配置される。
【０１２９】
以上のように実施の形態６においても、上下方向に沿って見た場合に、第１アンテナ１７１および第２アンテナ１７２は、実施の形態１とほぼ同様に配置される。これにより、実施の形態５においても、実施の形態１とほぼ同様の効果が得られる。
【０１３０】
加えて、上述のように第１アンテナ１７１および第２アンテナ１７２が、操作パネル１６０が最も近いコーナー部ＣＮ１と異なるコーナー部であって互いに対角に位置するコーナー部ＣＮ２，ＣＮ４にそれぞれ配置されることにより、操作パネル１６０に含まれるパネル基板からの電磁波の影響を受けることを抑制することができる。これにより、通信の確実性をより向上させることができる。
【０１３１】
（実施の形態７）
図１４は、実施の形態７に係る画像処理装置における第１アンテナおよび第２アンテナの配置を示す概略断面図である。図１４を参照して、実施の形態７に係る画像処理装置１００Ｆについて説明する。
【０１３２】
図１４に示すように、実施の形態７に係る画像処理装置１００Ｆは、実施の形態１に係る画像処理装置１００と比較した場合に、第１領域Ｒ１に配置された電磁波を発生する電子部品９０と、第１アンテナ１７１および第２アンテナ１７２との位置関係が下記のように特定されている点において相違する。その他の構成については、ほぼ同様である。
【０１３３】
第１領域Ｒ１に配置される電磁波を発生する電子部品９０は、たとえば、高圧回路基板および制御回路基板等の回路基板である。高圧回路基板は、画像形成部１１０に電力を供給する。制御回路基板は、画像形成部１１０の動作を制御する。
【０１３４】
当該電子部品９０は、たとえば４つのコーナー部ＣＮ１，ＣＮ２，ＣＮ３，ＣＮ４のうちコーナー部ＣＮ４に最も近くなるように配置されている。第２アンテナ１７２は、電子部品９０が最も近いコーナー部ＣＮ４に配置されている。第１アンテナ１７１は、コーナー部ＣＮ４に対して対角に位置するコーナー部ＣＮ１に配置されている。
【０１３５】
以上のように、実施の形態７においても、上下方向に沿って見た、第１アンテナ１７１および第２アンテナ１７２は、実施の形態１とほぼ同様に配置される。これにより、実施の形態５においても、実施の形態１とほぼ同様の効果が得られる。
【０１３６】
また、電子部品９０がシールド部材１８０の内側である第１領域Ｒ１に配置されることにより、電子部品９０から発生する電磁波がシールド部材１８０の外部に漏出することが抑制される。
【０１３７】
（実施の形態８）
図１５は、実施の形態８に係る画像処理装置における第１アンテナおよび第２アンテナの配置を示す概略断面図である。図１５を参照して、実施の形態８に係る画像処理装置１００Ｇについて説明する。
【０１３８】
図１５に示すように、実施の形態８に係る画像処理装置１００Ｇは、実施の形態１に係る画像処理装置１００と比較した場合に、第１領域Ｒ１に配置された電磁波を発生する電子部品９０と、第１アンテナ１７１および第２アンテナ１７２との位置関係が下記のように特定されている点において相違する。その他の構成については、ほぼ同様である。
【０１３９】
第１領域Ｒ１に配置される電磁波を発生する電子部品９０は、たとえば、高圧回路基板および制御回路基板等の回路基板である。
【０１４０】
当該電子部品９０は、たとえば４つのコーナー部ＣＮ１，ＣＮ２，ＣＮ３，ＣＮ４のうちコーナー部ＣＮ４に最も近くなるように配置されている。第１アンテナ１７１および第２アンテナ１７２は、電子部品９０が最も近いコーナー部ＣＮ４と異なるコーナー部であって、互いに対角に位置するコーナー部ＣＮ２，ＣＮ４にそれぞれ配置されている。
【０１４１】
以上のように、実施の形態８においても、上下方向に沿って見た、第１アンテナ１７１および第２アンテナ１７２は、実施の形態１とほぼ同様に配置される。これにより、実施の形態８においても、実施の形態１とほぼ同様の効果が得られる。
【０１４２】
加えて、上述のように第１アンテナ１７１および第２アンテナ１７２は、電子部品９０が最も近いコーナー部ＣＮ４と異なるコーナー部であって、互いに対角に位置するコーナー部ＣＮ２，ＣＮ４にそれぞれ配置されていることにより、当該電子部品９０から発生する電磁波がシールド部材１８０の外側に漏出した場合であっても、当該電磁波の影響を抑制することができる。これにより、通信の確実性をさらに向上させることができる。
【０１４３】
（実施の形態９）
図１６は、実施の形態９に係る画像処理装置における第１アンテナおよび第２アンテナの配置を示す概略断面図である。図１６を参照して、実施の形態９に係る画像処理装置１００Ｈについて説明する。
【０１４４】
図１６に示すように、実施の形態９に係る画像処理装置１００Ｈは、実施の形態１に係る画像処理装置１００と比較した場合に、第１領域Ｒ１に配置された電磁波を発生する電子部品９０と、第１アンテナ１７１および第２アンテナ１７２との位置関係が下記のように特定されている点、およびカバー体１８３を備えている点において相違する。その他の構成については、ほぼ同様である。
【０１４５】
第１領域Ｒ１に配置される電磁波を発生する電子部品９０は、たとえば、高圧回路基板および制御回路基板等の回路基板である。
【０１４６】
当該電子部品９０は、たとえば４つのコーナー部ＣＮ１，ＣＮ２，ＣＮ３，ＣＮ４のうちコーナー部ＣＮ４に最も近くなるように配置されている。第２アンテナ１７２は、電子部品９０が最も近いコーナー部ＣＮ４に配置されている。第１アンテナ１７１は、コーナー部ＣＮ４に対して対角に位置するコーナー部ＣＮ１に配置されている。
【０１４７】
カバー体１８３は、上下方向に沿って見た場合に略Ｌ字形状を有する。カバー体１８３は、上下方向に沿って延在する。カバー体１８３は、第２アンテナ１７２と第１シールド部材１８１との間に配置されている。カバー体１８３は、第１シールド部材１８１側から第２アンテナ１７２を覆う。カバー体１８３は、電磁波を遮蔽する遮蔽性を有する。
【０１４８】
以上のように、実施の形態８においても、上下方向に沿って見た、第１アンテナ１７１および第２アンテナ１７２は、実施の形態１とほぼ同様に配置される。これにより、実施の形態８においても、実施の形態１とほぼ同様の効果が得られる。
【０１４９】
加えて、電磁波を遮蔽するカバー体１８３が、第１シールド部材１８１側から第２アンテナ１７２を覆うことにより、当該電子部品９０から発生する電磁波がシールド部材１８０の外側に漏出した場合であっても、当該電磁波が、電子部品９０の近傍に配置された第２アンテナ１７２に影響を与えることを抑制することができる。これにより、通信の確実性をさらに向上させることができる。
【０１５０】
上述した実施の形態１から８においては、筐体１５０が、上下方向に沿って見た場合に矩形形状を有し、４つの周面と４つのコーナー部を有する場合を例示して説明したが、これに限定されず、本発明の趣旨を逸脱しない限り、上下方向に沿って見た場合に多角形状を有していてもよい。この場合には、筐体１５０は、３つの周面と３つのコーナー部を有していてもよいし、５つ以上の周面と５つ以上のコーナー部を有していてもよい。また、筐体１５０のコーナー部は、丸みを帯びていてもよいし、角ばっていてもよい。
【０１５１】
上述した実施の形態１から８においては、画像処理装置がサーバー装置２００と連結されている場合を例示して説明したが、これに限定されず、サーバー装置２００を備えていなくてもよい。また、画像処理装置が、画像形成部を備え、画像形成装置として機能する場合を例示して説明したが、これに限定されず、画像形成機能を有さず、読み取った画像を保存あるいは外部に送信可能に構成されていてもよい。
【０１５２】
以上、今回発明された実施の形態はすべての点で例示であって制限的なものではない。本発明の範囲は特許請求の範囲によって示され、特許請求の範囲と均等の意味および範囲内でのすべての変更が含まれる。
【符号の説明】
【０１５３】
１Ｃ，１Ｋ，１Ｍ，１Ｙ  画像形成ユニット、１０  感光体、１１  帯電装置、１２  露光装置、１３  現像装置、１４  現像ローラー、１５Ｃ，１５Ｋ，１５Ｍ，１５Ｙ  トナーボトル、１７  クリーニング装置、３０  中間転写ベルト、３１  一次転写ローラー、３３  二次転写ローラー、３８  従動ローラー、３９  駆動ローラー、４０  タイミングローラー、４１  搬送経路、４４  窪み部、５０  定着装置、６０  制御部、９０  電子部品、１００，１００Ａ，１００Ｂ，１００Ｃ，１００Ｄ，１００Ｅ，１００Ｆ，１００Ｇ，１００Ｈ，１００Ｘ  画像処理装置、１１０  画像形成部、１１１，１１２  カセット、１２０  画像読取部、１３０  原稿搬送部、１３１  供給トレイ、１３２  排出トレイ、１４０  カバー部材、１５０  筐体、１５０Ｂ  後面、１５０Ｄ  下面、１５０Ｆ  前面、１５０Ｌ  左側面、１５０Ｒ  右側面、１５０Ｕ  上面、１５１  第１筐体部、１５２  第２筐体部、１５３  第３筐体部、１６０  操作パネル、１７１  第１アンテナ、１７２  第２アンテナ、１８０  シールド部材、１８１  第１シールド部材、１８２  第２シールド部材、１８３  カバー体、２００  サーバー装置、２００Ｃ  筐体、２００Ｂ  後面、２００Ｄ  下面、２００Ｆ  前面、２００Ｌ  左側面、２００Ｒ  右側面、２００Ｕ  上面、２３０  サーバー本体部、２５０  連結部、３００  通信装置。
【図１】
2018140593.tif 000003
【図２】
2018140593.tif 000004
【図３】
2018140593.tif 000005
【図４】
2018140593.tif 000006
【図５】
2018140593.tif 000007
【図６】
2018140593.tif 000008
【図７】
2018140593.tif 000009
【図８】
2018140593.tif 000010
【図９】
2018140593.tif 000011
【図１０】
2018140593.tif 000012
【図１１】
2018140593.tif 000013
【図１２】
2018140593.tif 000014
【図１３】
2018140593.tif 000015
【図１４】
2018140593.tif 000016
【図１５】
2018140593.tif 000017
【図１６】
2018140593.tif 000018